(57)【要約】【課題】冷却対象物の品質を良好に保持可能な冷却貯蔵庫を提供する。【解決手段】断熱箱１２からなる貯蔵庫本体１１と、貯蔵庫本体１１上に設置された冷凍ユニット３１と、を備えた冷却貯蔵庫１において、貯蔵庫本体１１が、貯蔵庫本体１１内の上部に設けられ、冷凍ユニット３１と接続される冷却器４４を収容する冷却器室２２と、貯蔵庫本体１１内の下部に設けられ、冷却対象物が収納される貯蔵室２４と、冷却器室２２の下方かつ貯蔵室２４の上方に設けられ、蓄冷剤３４を収容可能な蓄冷剤室２３と、冷却器４４で生成された冷気を蓄冷剤室２３に循環供給するための冷却ファン５２と、蓄冷剤室２３内の冷気を貯蔵室２４に循環供給するための送風ファン５５と、を具備している。冷却運転時には、冷凍ユニット３１及び冷却ファン５２を駆動して蓄冷剤室２３内を冷却するとともに、送風ファン５５を駆動して蓄冷剤室２３内の冷気を貯蔵室２４に供給する。【選択図】図２
2015098969.tif 000002
【特許請求の範囲】
【請求項１】
断熱箱からなる貯蔵庫本体と、前記貯蔵庫本体上に設置された冷凍ユニットと、を備えた冷却貯蔵庫であって、
前記冷凍ユニットが、
圧縮機と、凝縮器と、を含み、
前記貯蔵庫本体が、
前記貯蔵庫本体内の上部に設けられるとともに、前記冷凍ユニットと接続されて冷気を生成する冷却器を収容する冷却器室と、
前記貯蔵庫本体内の下部に設けられ、冷却対象物が収納される貯蔵室と、
蓄冷剤を収容可能な蓄冷剤室と、
前記冷却器で生成された冷気を前記蓄冷剤室に循環供給するための冷却ファンと、
前記蓄冷剤室内の冷気を前記貯蔵室に循環供給するための送風ファンと、を具備するものにおいて、
前記蓄冷剤室が、前記冷却器室の下方かつ前記貯蔵室の上方に設けられ、
前記貯蔵室と前記蓄冷剤室とが断熱壁を挟んで設けられており、
冷却運転時には、前記冷凍ユニット及び前記冷却ファンを駆動して前記蓄冷剤室内を冷却するとともに、前記送風ファンを駆動して前記蓄冷剤室内の冷気を前記貯蔵室に供給することを特徴とする冷却貯蔵庫。
【請求項２】
前記冷却器には除霜ヒータが取り付けられ、
除霜運転時には、前記冷凍ユニット及び前記冷却ファンを停止し、前記除霜ヒータを駆動して、前記冷却器の除霜を行うことを特徴とする請求項１に記載の冷却貯蔵庫。
【請求項３】
前記送風ファンが前記断熱壁に配設されており、前記蓄冷剤の下方には、前記送風ファンの上方を開放するように露受け皿が取り付けられていることを特徴とする請求項１又は２に記載の冷却貯蔵庫。
【請求項４】
前記貯蔵室背面に上下方向に延びる左右一対の棚柱を有し、前記棚柱に冷却対象物を載置する棚網が係止されるものとされ、前記棚柱の間に棚柱と略同一の厚みとなる薄型の背面ダクトが配設されていることを特徴とする請求項１から請求項３のいずれか１項に記載の冷却貯蔵庫。
【請求項５】
前記貯蔵室の前面が開口し、前記開口を覆うように開閉自在に断熱扉が取り付けられ、
前記断熱壁の前部に吸気口が設けられ、前記吸気口の前方に、前記断熱壁の下面から下方に突出するように庫内灯が設けられていることを特徴とする請求項１ないし請求項４のいずれか一項に記載の冷却貯蔵庫。
【請求項６】
前記蓄冷剤室の前面が開口し、前記開口を覆うように開閉自在に断熱扉が取り付けられていることを特徴とする請求項１ないし請求項５のいずれか一項に記載の冷却貯蔵庫。
【発明の詳細な説明】
【技術分野】
【０００１】
本発明は、冷却貯蔵庫に関する。より詳細には、一般的な冷凍サイクルによる冷却のみならず、蓄冷剤を用いても庫内を冷却可能な冷却貯蔵庫に関する。
【背景技術】
【０００２】
蓄冷剤を用いて保冷可能な冷却貯蔵庫としては、食品輸送等に用いられる蓄冷型保冷庫等があり、例えば特許文献１及び特許文献２に記載された構成のものが知られている。これらの蓄冷型保冷庫ではいずれも、輸送品物（冷却対象物）を収納する保冷室（貯蔵室）の上方に、断熱区画壁によって蓄冷室が区画形成されている。蓄冷室内には、冷却器と蓄冷剤とが水平方向に並んで収容されており、同蓄冷室内に設けた送風ファンや通気ファンによって、保冷室に冷気を循環させている。ここで、保冷室内に収納した輸送品物等を理想的な冷却状態に保持し、効率的な冷却を実現するためには、保冷室内の冷気循環を良好に維持することが重要である。特許文献１に係る保冷庫の保冷室１３では、冷気は、断熱区画壁１０に配設された通気孔１１ａより吹き出され、通気口１１ｂより吸い込まれることにより、室内を循環している。
【先行技術文献】
【特許文献】
【０００３】
【特許文献１】実開平３−３７３８１号公報
【特許文献２】実開平３−２６７６７５号公報
【発明の概要】
【発明が解決しようとする課題】
【０００４】
ところで、蓄冷剤を使用する保冷庫では、配置構成上、送風ファンや通気ファンにより生じる空気の流れが蓄冷剤や断熱区画壁で遮断され、効率的な冷気循環が実現できていなかった。加えて、蓄冷剤を用いた冷却運転時に蓄冷剤表面に結露して滴下する排水を適切に処理できておらず、排水が下方の保冷室に滴下して輸送品物等の劣化を招いたり、残存排水が凍結して部品の破損等を招いたりするおそれがあった。さらに、上記のような構成の冷却庫では、例えば冷却器の除霜を行う場合に、冷却器に取り付けたヒータを加熱すると、これに伴って冷却器近傍の保冷室の温度が上昇してしまい、保冷室に収納した輸送品物等の劣化を招くおそれがあった。
【０００５】
本発明は上記のような事情に基づいて完成されたものであって、蓄冷剤を用いて庫内を冷却可能な冷却貯蔵庫において、冷却対象物の品質を良好に保持可能な構造とすることを目的とする。また、貯蔵室内の良好な冷気循環を維持し、操作性にも優れた、蓄冷剤を使用可能な冷却貯蔵庫を提供することを目的とする。さらに、冷却器の除霜運転を行う場合にも、該運転に伴う貯蔵室の温度上昇の抑制を可能とする冷却貯蔵庫を提供することを目的とする。
【課題を解決するための手段】
【０００６】
上記課題を解決するため、本発明に係る冷却貯蔵庫は、以下の特徴を有する。
すなわち、断熱箱からなる貯蔵庫本体と、前記貯蔵庫本体上に設置された冷凍ユニットと、を備え、
前記冷凍ユニットが、
圧縮機と、凝縮器と、を含み、
前記貯蔵庫本体が、
前記貯蔵庫本体内の上部に設けられるとともに、前記冷凍ユニットと接続されて冷気を生成する冷却器を収容する冷却器室と、
前記貯蔵庫本体内の下部に設けられ、冷却対象物が収納される貯蔵室と、
蓄冷剤を収容可能な蓄冷剤室と、
前記冷却器で生成された冷気を前記蓄冷剤室に循環供給するための冷却ファンと、
前記蓄冷剤室内の冷気を前記貯蔵室に循環供給するための送風ファンと、を具備するものにおいて、
前記蓄冷剤室が、前記冷却器室の下方かつ前記貯蔵室の上方に設けられ、
前記貯蔵室と前記蓄冷剤室とが断熱壁を挟んで設けられており、
冷却運転時には、前記冷凍ユニット及び前記冷却ファンを駆動して前記蓄冷剤室内を冷却するとともに、前記送風ファンを駆動して前記蓄冷剤室内の冷気を前記貯蔵室に供給するという特徴である。
【０００７】
このように、冷却器からの冷気が回りやすい下方に蓄冷剤室を配置し、さらにその下面には断熱壁を配する構成としたことで、より効率的に蓄冷剤室中に冷気を送ることができる。特に貯蔵室と蓄冷剤室とを断熱壁を挟んで区分けしたため、送風ファンの駆動態様により貯蔵室の温度設定を容易に行うことが可能となる（断熱壁を挟まない場合は貯蔵室が蓄冷剤室と同程度の温度まで冷却されてしまい、希望の温度設定にコントロールすることが困難となる）。
【０００８】
本発明の冷却貯蔵庫は、以下のような構成を有することが好ましい。
（１）冷却器には除霜ヒータが取り付けられ、除霜運転時には、冷凍ユニット及び冷却ファンを停止し、除霜ヒータを駆動して、冷却器の除霜を行う構成。本発明では、冷却器と貯蔵室との間に蓄冷剤室及び断熱壁が介在する配置構成としたため、冷却器の除霜を行う際に、冷却器ヒータの加温に起因する貯蔵室の温度上昇を回避できるものとなっている。
【０００９】
（２）送風ファンが断熱壁に配設されており、蓄冷剤の下方には、送風ファンの上方を開放するように露受け皿が取り付けられている構成である。このように蓄冷剤の下方に露受け皿を設けることで、蓄冷剤を用いた冷却運転時に蓄冷剤表面に結露して滴下する水を適切に処理することが可能となる。また、送風ファンの上方は開放された状態に保たれるため、蓄冷剤室から貯蔵室への冷気の流れが妨げられることもない。
【００１０】
（３）貯蔵室の背面に、冷却対象物を載置する棚網を係止するための上下方向に延びる一対の棚柱を有し、この棚柱の間に薄型の背面ダクトが配設される構成である。このように背面ダクトを薄型化すれば、貯蔵室の内容積を大きく確保できる。
【００１１】
（４）貯蔵室前面の開口を覆うように開閉自在に貯蔵室断熱扉が取り付けられた冷却貯蔵庫において、断熱壁の前部に吸気口が設けられ、この吸気口の前方に、断熱壁の下面から下方に突出するように貯蔵室庫内灯が設けられる構成である。このような構成とすれば、貯蔵室を開扉した際に吸気口から外気が吸い込まれにくくなり、冷却効率の低下や、冷却器への着霜が抑えられる。また、冷却対象物を貯蔵室に収納する際に庫内灯によって吸気口近傍の空間が確保されるため、吸気口が塞がれることがなくなり、貯蔵室内の冷気循環を良好に維持できる。
【００１２】
（５）蓄冷剤室の前面が開口し、この開口を覆うように開閉自在に蓄冷剤室断熱扉が取り付けられる構成である。このように、蓄冷剤室前面を扉構造とすれば、蓄冷剤の交換が容易となる。また、蓄冷剤の代替品として氷を収納し、保冷運転を行うことも可能である。
【発明の効果】
【００１３】
本発明によれば、冷却対象物の品質を確実に保持可能な冷却貯蔵庫を得ることができる。また、貯蔵室内の良好な冷気循環を維持し、操作性にも優れた、蓄冷剤を使用可能な冷却貯蔵庫を得ることができる。
【図面の簡単な説明】
【００１４】
【図１】一実施形態に係る冷却貯蔵庫の外観正面図
【図２】図１の冷却貯蔵庫の縦断面図
【図３】図１の冷却貯蔵庫の横断面図
【図４】図１の冷却貯蔵庫の貯蔵庫内部を示す図
【図５】その他の実施形態に係る冷却貯蔵庫の縦断面図
【発明を実施するための形態】
【００１５】
以下、本発明の実施形態を添付図面に基づいて説明する。
本発明に係る冷却貯蔵庫１の構造について、図１ないし図４に基づいて説明する。なお、以下の説明では、図２における左方を前面側、右方を背面側とする。
【００１６】
冷却貯蔵庫１は業務用の縦型冷却貯蔵庫であり、図１は、その外観を表したものである。図２は、冷却貯蔵庫１の図１におけるＡ−Ａ面に沿った縦断面図である。冷却貯蔵庫１は、前面が開口した縦長の断熱箱体１２及び断熱扉１３等によって区画形成される貯蔵庫本体１１と、前面パネル１４と左右パネル１５によって区画形成される機械室２１と、からなる。機械室２１は、貯蔵庫本体１１上に設けられている。
【００１７】
機械室２１には、冷凍ユニット３１及び電装箱３２が収容されている。冷凍ユニット３１には、圧縮機４１、凝縮器４２、及び凝縮器ファン４３が収容され、電装箱３２には、後述する冷却装置３３等の運転を制御するための回路やリレー等が収容されている。
貯蔵庫本体１１は、上から、冷却器室２２、蓄冷剤室２３、貯蔵室２４に区分される。貯蔵庫本体１１の背面壁内には、冷却器室２２及び蓄冷剤室２３と、庫外とを連結する排水管７０が、上下方向に延在するように配設されている。
【００１８】
冷却器室２２は、ドレンパンを兼ねた冷却ダクト５１で貯蔵庫本体１１の頂部を仕切ることによって区画形成されており、冷却器４４が収容されている。冷却ダクト５１はステンレス鋼板からなり、水平面に対して背面側に下降するように傾斜した状態で固定されている。冷却ダクト５１の背面側には蓄冷剤室吹出口５３が設けられ、前面側の蓄冷剤室吸込口には冷却ファン５２が取り付けられている。背面側にはまた、除霜水ドレン７１が設けられており、排水管７０と連結されている。冷却器４４は、機械室２１の冷凍ユニット３１中に収容されている圧縮機４１及び凝縮器４２と冷媒配管によって循環接続され、周知の冷凍サイクルを構成する。以下、圧縮機４１、凝縮器４２、凝縮器ファン４３、及び冷却器４４を、冷却装置３３とする。冷却器４４の下面には、シーズヒータ等からなる除霜ヒータ６０が装着されている。
【００１９】
蓄冷剤室２３は、断熱壁１６で貯蔵庫本体１１の冷却器室２２下方を仕切ることによって区画形成されており、蓄冷剤３４を収容可能とされている。本実施形態では、蓄冷剤室２３前面の開口部には断熱前面パネル１７が固定されている。断熱壁１６は断熱材料であるウレタンからなり、水平方向に設けられている。断熱壁１６内には、前面側中央部に貯蔵室吸込口５４（吸気口）が設けられ、背面側一偶部の貯蔵室吹出口には送風ファン５５が取り付けられている。
【００２０】
蓄冷剤３４は、本実施例では平面長方形の厚板形状をなすものを使用しており、蓄冷剤室２３の中心部に設けられた蓄冷剤用棚網６１上に複数個が載置されている。蓄冷剤３４の下方、断熱壁１６の上方には、水平面に対して背面側に下降するように傾斜させつつ、露受け皿６２が取り付けられる。図３は、冷却貯蔵庫１の図１におけるＢ−Ｂに沿った横断面図である。露受け皿６２は金属製で、背面側の一偶部が四角形に切り欠かれ、全縁にわたって立ち上がり部を備えた変形トレイ状をしており、送風ファン５５の上方を開放するように取り付けられる。また、背面側中央部には、配水管７０と連結する結露水ドレン７２が設けられており、配水管７０と連結されている。
【００２１】
貯蔵庫本体１１における蓄冷剤室２３の下方部分が、貯蔵室２４とされている。貯蔵室２４前面の開口には、水平に横桟１８が設けられており、横桟１８を挟んで上下２個の断熱扉１３が、それぞれ幅方向の一端側を軸として回動可能に支持されている。貯蔵室２４の内部には、その両側面の前辺に沿って各１本、背面の左右側辺に沿って１本ずつ、の計４本の棚柱６３が取り付けられている。各棚柱６３には、上下方向に間隔を空けて棚受金が装着され、この上に棚網６４が取り付けられて、冷却対象物を載置する収納スペースを形成する。
【００２２】
背面左右に取り付けられた２本の棚柱６３の間には、背面ダクト５６が設置されている。図４は、横桟１８及び断熱扉１３を取り除いた状態で、前方から貯蔵室２４を見た図である。前面に複数個の冷気吹出口５７を有する背面ダクト５６は、極めて薄く扁平な形状であり、棚柱６３とほぼ同程度の厚さとされている。
【００２３】
貯蔵室２４の天面を構成する断熱壁１６の下方背面側には、上述の送風ファン５５の下方を覆うように、貯蔵室２４のほぼ全幅にわたって背面ダクト５６と一体化された導風部５８が設けられている。
【００２４】
また、断熱壁１６の前面側中央部には、上述のように吸込口５４が設けられているが、この前方には下方に突出するように、吸込口５４とほぼ同じ幅の庫内灯６５が設置される。
【００２５】
次いで、冷却貯蔵庫１の動作について説明する。
基本的な冷却運転は、冷却装置３３を動かすことによって行われる。この基本冷却モードでは、冷却ファン５２を回転させて、蓄冷剤室２３から冷却器室２２へと吸引された空気を冷却器４４に送る一方、圧縮機４１を動かして冷凍サイクルを駆動する。その結果、冷却器４４を通過する空気が熱交換によって冷却され、冷気が生成される。生成された冷気は、背面側の蓄冷剤室吹出口５３を通って蓄冷剤室２３へと送られる。蓄冷剤室２３に収納された蓄冷剤３４を冷却した冷気は、さらに送風ファン５５によって貯蔵室２４へと送られる。送風ファン５５からの冷気は、導風部５８によって背面ダクト５６へと導かれ、背面ダクト５６内を下方に移動しつつ、複数の冷気吹出口５７から貯蔵室２４内に吹き出される。貯蔵室２４内に収納された冷却対象物を冷却した空気は、循環流によって断面壁１６前部に設けられた貯蔵室吸込口５４から蓄冷剤室２３内へと吸い込まれ、さらにその上面の冷却ファン５２によって冷却器室２２、ひいては冷却器４４内へと送られ、再び熱交換される。
【００２６】
基本冷却モードでは、上述のような冷気循環によって冷却が行われるが、冷却ファン５２のＯＮ−ＯＦＦ等を行って冷却装置３３を制御することにより、貯蔵室２４内を所定温度に維持する。基本冷却モードでは、蓄冷剤３４の種類に応じて、蓄冷剤室２３内の温度を蓄冷剤３４の凍結状態が維持できる温度、例えば−５℃程度に保持することが好ましい。
【００２７】
冷却貯蔵庫１は、冷却装置３３の運転能力を適宜調整することにより、基本冷却モードと同様の動作で、蓄冷凍結モードで運転することができる。蓄冷凍結モードでは、蓄冷剤室２３内で蓄冷剤３４を凍結させるため、蓄冷剤３４の種類に応じて、例えば−２０℃程度となるまで蓄冷剤室２３を冷却することが好ましい。
【００２８】
このような冷気循環を行うと、冷却器４４には運転に伴って次第に着霜が生じる。特に、蓄冷凍結モードで蓄冷剤室２３を極低温域まで下げるような場合には、冷却器４４に着霜が生じやすい。そのため、冷却器４４の下面に取り付けた除霜ヒータ６０を加温して、適宜に除霜運転を行う。すなわち、冷却装置３３及び冷却ファン５２をＯＦＦとし、除霜ヒータ６０をＯＮにして加温し、冷却器に付いた霜を融解させる。除霜運転によって冷却器４４の着霜が融解して生じた排水は、冷却ダクト５１上を背面側に向かって流下し、除霜水ドレン７１から配水管７０内を通って貯蔵庫本体１１の底部に配置されている除霜水強制蒸発装置内にて蒸発する。
【００２９】
冷却貯蔵庫１は、停電等のように十分な電力供給が確保できない場合には、蓄冷剤等による冷却運転を行うことができる。この蓄冷利用モードでは、冷却装置３３及び冷却ファン５２をＯＦＦとする一方、電池等のバックアップ電源により送風ファン５５をＯＮに維持することが望ましい。送風ファン５５によって貯蔵室２４へと送られた蓄冷剤室２３の冷気は、基本冷却モードと同様、導風部５８によって背面ダクト５６へと導かれ、背面ダクト５６内を下方に移動しつつ、複数の冷気吹出口５７から貯蔵室２４内に吹き出される。貯蔵室２４内に収納された冷却対象物を冷却した空気は、循環流によって断面壁１６前部に設けられた吸込口５４から蓄冷剤室２３内へと吸い込まれ、蓄冷剤３４によって冷却される。送風ファン５５を適宜制御してこのような冷気循環を調整することにより、貯蔵室２３内を長時間所定温度に維持できる。
【００３０】
蓄冷利用モードにおいて蓄冷剤３４の表面に生じた結露が滴下した排水は、下方の露受け皿６２上を背面側に向かって流下し、結露水ドレン７２から配水管７０内を通って貯蔵庫本体１１の底部に配置されている除霜水強制蒸発装置内にて蒸発する。
本実施形態の冷却貯蔵庫１は、以下の作用・効果を有する。
【００３１】
冷却器４４からの冷気が回りやすい下方に蓄冷剤室２３を配置し、さらにその下面には断熱壁１６を配する構成としたことで、蓄冷剤３４に向けてより効率的に冷気を送ることができ、蓄冷剤室２３を低温に維持することが容易となっている。また、冷却器４４と貯蔵室２４との間に蓄冷剤室２３及び断熱壁１６が介在する配置となっているため、除霜運転時に冷却器４４の除霜ヒータ６０を加温しても貯蔵室２４の温度が上昇することがなく、冷却対象物の温度上昇による劣化を防止し、長期保存が可能となる。
【００３２】
また、蓄冷剤室２３の下部に露受け皿６２を設けて排水を庫外に排出するため、蓄冷利用モードでの運転時に蓄冷剤３４表面に結露して滴下する水を適切に処理することが可能となる。よって、排水の滴下による冷却対象物の劣化や、残存排水の凍結による部品の破損を回避できる。さらに、この露受け皿６２を、断熱壁１６に固定された送風ファン５５の上方を開放するような形状で設けたことにより、送風ファン５５による空気の流れを遮ることがなく、冷気循環が良好に維持される。
【００３３】
さらに、背面ダクト５６を非常に薄型とし、貯蔵室２４の背面に設置した棚柱６３の間のデッドスペースに配設したため、貯蔵室２４内に広い収納空間が確保されている。
【００３４】
また、断熱壁１６の前面側中央部に設けた貯蔵室吸込口５４（吸気口）の前方に、断熱壁１６下面から下方に突出して貯蔵室吸込口５４を隠すような状態で庫内灯６５を設けたため、断熱扉１３を開扉しても貯蔵室吸込口５４から外気が吸い込まれにくくなっており、冷却効率の低下が抑制できると同時に、冷却器４４への着霜も抑制される。さらに、冷却対象物を貯蔵室２４内に搬入する際にも、突出する庫内灯６５が障害となって貯蔵室吸込口５４近傍に詰め込みづらく、空間が確保されるため、貯蔵室２４内の冷気循環を良好に維持できる。
【００３５】
＜他の実施形態＞
本発明は上記記述及び図面によって説明した実施形態に限定されるものではなく、例えば次のような実施形態も本発明の技術的範囲に含まれる。
【００３６】
（１）上記実施形態では、蓄冷剤室の前面開口を、断熱パネルを固定することにより閉塞した構造としているが、開閉可能な扉を備えたものとしてもよい。例えば、図５に断熱扉１９として示すように、貯蔵室と同様の断熱扉を、幅方向の一端側を軸として回動可能に支持した構造のものが考えられる。
【００３７】
このように、蓄冷剤室前面を開閉自在な扉構造とすれば、蓄冷剤の交換や清掃など、蓄冷剤室のメンテナンスが容易となる。停電等の際にも、市販の蓄冷剤の代替品として氷を収納し蓄冷利用モードで運転を行うなど、臨機応変な対応が容易となる。蓄冷剤として氷を用いる場合には、専用の蓄冷剤が不要となってコストダウンが図れることに加え、蓄冷剤室が極低温状態となるまで冷却する蓄冷剤凍結モードによる運転を行う必要がなくなる。さらに、蓄冷利用モードでの運転が不要であるなど、基本冷却モードでの運転しか想定されないような場合には、蓄冷剤室を冷却対象物の収納にあてることができ、特に冷却温度の低い冷却対象物の保冷に好適に用いることが可能である。
【００３８】
なお、蓄冷剤室前面を閉塞する扉は、幅方向の一端側を軸として回動可能とした扉に限らず、容易に開閉可能な構造であればよい。例えば、観音開き扉や、上端もしくは下端を軸として回動する扉などであってもよい。
【００３９】
（２）上記実施形態では、業務用の縦型冷却貯蔵庫１に本発明を適用した例を示したが、これに限定されるものではなく、家庭用冷却貯蔵庫等にも適用できる。また、必ずしも冷却貯蔵庫が全体として縦長の形状である必要はなく、冷凍ユニット、冷却器室、蓄冷剤室、断熱壁、貯蔵室が、所定の位置関係で鉛直方向に配置されていればよい。また、貯蔵室の開口部に取り付けられる扉も、その数や取付構造等について適宜変更が可能である。
【００４０】
（３）上記実施形態では、１個の送風ファンを断熱壁背面側の一隅部に配する構造としたが、送風ファンの数及び配置はこれに限定されるものではない。露受け皿の形状は、送風ファンの配置に応じて決めることができる。これらを決める際には、結露水ドレンとの位置関係に留意する。結露水ドレンの数及び配置も、上記実施形態に限定されるものではなく変更可能である。例えば、送風ファンを断熱壁の背面側中央部に配置し、結露水ドレンを背面側両端部に設けたり、送風ファンを背面側一隅部に、結露水ドレンを背面側のもう一方の偶部に設けたり、という配置が考えられる。なお、送風ファン近傍では温度が特に低下し易いため、蓄冷剤表面から露受け皿に滴下した結露水が露受け皿中で凍結することがないよう、その排水箇所（つまり集水箇所）である結露水ドレンと送風ファンとは間隔を空けて配置することが望ましい。
【００４１】
（４）上記実施形態では、貯蔵室吸込口と庫内灯とは、ルーバー開口を有する断面凸状の部材を断熱壁に設置して当該部材下面に庫内灯を取り付ける構造としたが、これに限定されるものではない。例えば、貯蔵室吸込口を断熱壁前部の全幅に亘って設け、庫内灯をその前方に、貯蔵室の内部開口の全幅に亘って下方に突出するように設ける構造としても良い。要は、庫内灯が吸気口の前方を塞ぐような形で下方に突出するように設けられていれば良く、貯蔵室吸込口の設置幅よりも広い範囲で庫内灯が突出していても良い。また、庫内灯の突出形状及び突出量についても特に限定されるものではないが、貯蔵室吸込口からの貯蔵室内空気の吸い込みを妨げず、かつ前面からの外気の吸い込みを防ぐために、貯蔵室吸込口の下方を開放しつつ、その前方に垂下するような形状であって、貯蔵室吸込口の奥行とほぼ同じか、それ以上の突出量（垂下量）を有していることが望ましい。
【００４２】
（５）上記実施形態では、各部材の構成材料を例示的に示したが、これに限定されるものではない。例えば、実施形態では金属製とした冷却ダクト及び露受け皿を樹脂等で、ウレタン製とした断熱壁をウレタン以外の断熱性材料で、それぞれ構成しても良い。
【符号の説明】
【００４３】
１…冷却貯蔵庫、１１…貯蔵庫本体、３１…冷凍ユニット、２２…冷却器室、２３…蓄冷剤室、２４…貯蔵室、４４…冷却器、５２…冷却ファン（蓄冷剤室吸込口）、５３…蓄冷剤室吹出口、６０…除霜ヒータ、３４…蓄冷剤、１６…断熱壁、５４…貯蔵室吸込口（吸気口）、５５…送風ファン（貯蔵室吹出口）、６２…露受け皿、６３…棚柱、６４…棚網、５６…背面ダクト、６５…庫内灯
【図１】
2015098969.tif 000003
【図２】
2015098969.tif 000004
【図３】
2015098969.tif 000005
【図４】
2015098969.tif 000006
【図５】
2015098969.tif 000007